(57)【要約】【課題】筐体の設計の自由度を向上できる把持構造を有しかつ、製造コストの低減を図れるプロジェクタを提供する。【解決手段】プロジェクタ１は、筐体としての外装ケース２と、この外装ケース２内に収納される本体部分３とを備える。このうち、外装ケース２は、投写光学装置の投写方向に沿った側面部１１Ｂ，１１Ｃ，１２Ｂ，１２Ｃが曲面状に形成され、この側面部１１Ｂ，１１Ｃ，１２Ｂ，１２Ｃには、プロジェクタ１を設置するための脚部が形成された底面部１２Ａ側に該プロジェクタ１を把持するためのグリップ部２３Ｂ，２３Ｃが形成されている。【選択図】  図１１
2005017596.tif 000002
【特許請求の範囲】
【請求項１】
光源から射出された光束を画像情報に応じて変調する光変調装置と、この光変調装置にて変調された光束を拡大投写する投写光学装置と、これら光変調装置および投写光学装置が内部に配置される略直方体状の筐体とを備えたプロジェクタであって、
前記筐体は、前記投写光学装置の投写方向に沿った側端面が曲面状に形成され、前記側端面には、当該プロジェクタを設置するための脚部が形成された脚部形成面側に当該プロジェクタを把持するための第１凹部が形成されていることを特徴とするプロジェクタ。
【請求項２】
請求項１に記載のプロジェクタにおいて、
前記第１凹部は、当該プロジェクタを把持する手の親指を除く４本の指と当接可能な幅寸法、および、前記４本の指の第１関節までの指先を嵌入可能な深さ寸法を有していることを特徴とするプロジェクタ。
【請求項３】
請求項１または請求項２に記載のプロジェクタにおいて、
前記第１凹部は、前記脚部形成面から離間する方向に窪む形状を有し、該第１凹部の周縁は、前記脚部形成面から離間する方向に凸となる平面視略円弧状に形成されていることを特徴とするプロジェクタ。
【請求項４】
請求項１から請求項３のいずれかに記載のプロジェクタにおいて、
前記筐体には、当該プロジェクタを把持するために、前記側端面の前記脚部形成面側に前記第１凹部が形成されるとともに、前記脚部形成面と対向する端面に第２凹部が形成されていることを特徴とするプロジェクタ。
【請求項５】
請求項１ないし請求項４のいずれかに記載のプロジェクタにおいて、
前記第１凹部および前記第２凹部は、前記筐体における前記投写方向と直交する幅方向中心位置を通り、前記脚部形成面に直交する基準面に対して対称となるように形成されていることを特徴とするプロジェクタ。
【発明の詳細な説明】
【０００１】
【発明の属する技術分野】
本発明は、光源から射出された光束を画像情報に応じて変調する光変調装置と、この光変調装置にて変調された光束を拡大投写する投写光学装置と、これら光変調装置および投写光学装置が内部に配置される略直方体状の筐体とを備えたプロジェクタに関する。
【０００２】
【背景技術】
従来、光源から射出された光束を画像情報に応じて光変調装置で変調して光学像を形成し、投写光学装置にて光学像を拡大投写するプロジェクタが知られている（例えば、特許文献１参照）。
このプロジェクタには、光変調装置および投写光学装置等を収納する筐体が設けられており、この筐体の側面には、プロジェクタを持ち運ぶための把持構造が形成されている。
この把持構造は、平面視コ字状のハンドルと、筐体側面に形成され、ハンドルのコ字状端縁が嵌合する２つの切り欠きと、この切り欠きの縁に筐体内側に曲折するように形成され、互いに対向配置する起立部と、ハンドルのコ字状端縁先端部分を起立部に回動自在に軸支する軸部材とで構成されている。
【０００３】
【特許文献１】
特開２００２−１０７８１６号公報
【０００４】
【発明が解決しようとする課題】
しかしながら、特許文献１に記載の把持構造では、利用者が把持するハンドルの他、筐体の側面に切り欠きおよび起立部を形成する必要があるので、プロジェクタを製造するにあたって、煩雑な製造作業が生じ、製造コストの低減を図り難い、という問題がある。
また、特許文献１に記載の把持構造では、筐体の側面にハンドルを取り付けるため、筐体を設計するにあたって、ハンドルが取り付けられる側面の形状に大きな制限が課される、という問題がある。
【０００５】
本発明の目的は、筐体の設計の自由度を向上できる把持構造を有し、製造コストの低減を図れるプロジェクタを提供することにある。
【０００６】
【課題を解決するための手段】
本発明のプロジェクタは、光源から射出された光束を画像情報に応じて変調する光変調装置と、この光変調装置にて変調された光束を拡大投写する投写光学装置と、これら光変調装置および投写光学装置が内部に配置される略直方体状の筐体とを備えたプロジェクタであって、前記筐体は、前記投写光学装置の投写方向に沿った側端面が曲面状に形成され、前記側端面には、当該プロジェクタを設置するための脚部が形成された脚部形成面側に当該プロジェクタを把持するための第１凹部が形成されていることを特徴とする。
ここで、第１凹部としては、種々の形状を採用できるが、例えば、脚部形成面から離間する方向に窪む形状、または脚部形成面と平行に窪む形状等を採用できる。
【０００７】
本発明によれば、プロジェクタを把持するための把持構造として、プロジェクタを構成する筐体の側端面に第１凹部を形成しているので、利用者は例えば第１凹部に手の指先を嵌入させてプロジェクタを掴むことで該プロジェクタを容易に持ち運ぶことができる。このような把持構造を採用することにより、従来のハンドルを備えた把持構造と比較して、ハンドル等の部材の製造、および製造したハンドルの筐体への取り付け作業等を実施する必要がないので、プロジェクタの製造を容易にし、製造コストの低減を図れる。また、筐体の側端面にハンドルを取り付ける必要がないので、該側端面の形状を自由に設計でき、すなわち、筐体の設計の自由度を向上できる。
また、側端面の形状を曲面状に形成し、該側端面における脚部形成面側に第１凹部を形成することで、例えば利用者が第１凹部に手の指先を嵌入させてプロジェクタを掴む際には、利用者の手の平は曲面状の側端面に当接する。したがって、側端面が平坦である構成と比較して、利用者に安定してプロジェクタを把持させることができる。
【０００８】
本発明のプロジェクタでは、前記第１凹部は、当該プロジェクタを把持する手の親指を除く４本の指と当接可能な幅寸法、および、前記４本の指の第１関節までの指先を嵌入可能な深さ寸法を有していることが好ましい。
本発明によれば、第１凹部は、プロジェクタを把持する利用者の手の親指を除く４本の指と当接可能な幅寸法でかつ、４本の指の第１関節までの指先を嵌入可能な深さ寸法を有しているので、利用者は、手の親指を除く４本の指の指先を第１凹部に確実に引っ掛けることができる。したがって、利用者にさらに安定してプロジェクタを把持させることができる。
【０００９】
本発明のプロジェクタでは、前記第１凹部は、前記脚部形成面から離間する方向に窪む形状を有し、該第１凹部の周縁は、前記脚部形成面から離間する方向に凸となる平面視略円弧状に形成されていることが好ましい。
本発明によれば、第１凹部は、脚部形成面から離間する方向に窪み、その周縁は、該離間する方向に凸となる平面視略円弧状に形成されているので、第１凹部の形状が利用者の親指を除く４本の指の長さの違いに応じた形状となり、第１凹部に手の指先を嵌入させやすく、利用者に容易にかつ安定してプロジェクタを把持させることができる。
【００１０】
本発明のプロジェクタでは、前記筐体には、当該プロジェクタを把持するために、前記側端面の前記脚部形成面側に前記第１凹部が形成されるとともに、前記脚部形成面と対向する端面に第２凹部が形成されていることが好ましい。
本発明によれば、筐体には、第１凹部の他、第２凹部が形成されているので、例えば利用者が手の親指を除く４本の指先を第１凹部に嵌入させてプロジェクタを掴む際に、利用者は第２凹部に親指を当接させることができる。したがって、利用者に確実にプロジェクタを把持させ、安定にプロジェクタを持ち運ばせることができる。
【００１１】
本発明のプロジェクタでは、前記第１凹部および前記第２凹部は、前記筐体における前記投写方向と直交する幅方向中心位置を通り、前記脚部形成面に直交する基準面に対して対称となるように形成されていることが好ましい。
本発明によれば、第１凹部および第２凹部は、上述した基準面に対して対称形状となっているので、筐体の前面が利用者に対向する位置にある場合、筐体の背面が利用者に対向する位置にある場合の双方で利用者によるプロジェクタの把持が可能となる。したがって、利用者にさらに容易にプロジェクタを把持させることができる。
また、天吊り式のプロジェクタに本発明を採用する場合、若しくは、筐体を反転して設置、使用する場合、第２凹部を上述した基準面に対して対称形状にすれば、筐体の上面に、例えば天井と当接する天吊り用脚部を貼り付ける際、第２凹部を天吊り用脚部の貼付位置のガイド位置とすることができる。したがって、天吊り用脚部を予め工場等にて貼り付けない構成としても、プロジェクタを天吊りする時に、天吊り用脚部を容易に貼り付けることができる。
【００１２】
【発明の実施の形態】
以下、本発明の実施の一形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図３に示すように、略直方体状の筐体としての外装ケース２、およびこの外装ケース２内に配置されるここでは図示しない本体部分を備えている。
【００１３】
外装ケース２は、合成樹脂製の筐体であり、プロジェクタ１の本体部分を収納する。この外装ケース２は、図１ないし図３に示すように、プロジェクタ１の上部分を覆うアッパーケース１１と、プロジェクタ１の下部分を覆うロアーケース１２と、プロジェクタ１の前面部分を覆うフロントケース１３と、プロジェクタ１の背面部分を覆うリアケース１４（図３）とを備えている。これらアッパーケース１１、ロアーケース１２、フロントケース１３、およびリアケース１４は、ねじ等により固定され、適宜着脱可能に構成されている。
アッパーケース１１は、図１ないし図３に示すように、プロジェクタ１の上面および側面の一部をそれぞれ構成する上面部１１Ａおよび側面部１１Ｂ（図１），１１Ｃ（図２）を含んで構成される。
【００１４】
上面部１１Ａは、図１または図３に示すように、平面視略中央部分から前面側、背面側、および側面部１１Ｂ，１１Ｃ側にかけて、なだらかに湾曲し、凸曲面状に形成されている。また、この上面部１１Ａの前方側端縁は、図１に示すように、前方から見て右側部分が曲線状に切り欠かれるように形成されている。
この上面部１１Ａにおいて、後方側略中央部分には、図１または図３に示すように、プロジェクタ１の起動・調整操作を実施する操作パネル１５が左右方向に延びるように設けられている。この操作パネル１５は、押釦スイッチで構成され、複数の操作ボタン１５１を適宜押下することにより、操作パネル１５内部に配置される図示しない回路基板に実装されたタクトスイッチと接触し、所望の操作が可能となる。
なお、前述した操作パネル１５の回路基板は、後述する制御基板と電気的に接続され、操作ボタン１５１の押下に伴う操作信号は、制御基板に出力される。
【００１５】
また、この上面部１１Ａにおいて、前方側であって、前方から見て右側部分には、図１または図３に示すように、外装ケース２の内側に窪み、この窪みの中心部分にレバー操作用孔１６が形成されている。このレバー操作用孔１６は、後述する投写レンズのレバーを露出させ、該レバーを操作可能としている。
さらに、この上面部１１Ａにおいて、側面部１１Ｂ（図１），１１Ｃ（図２）側の投写方向略中央部分には、プロジェクタ１を把持するための第２凹部としての親指支持部１７Ｂ，１７Ｃが形成されている。
なお、プロジェクタ１の把持構造の詳細については、後述する。
【００１６】
側面部１１Ｂ（図１），１１Ｃ（図３）は、下端側投写方向略中央部分から、前面側、背面側、および上面部１１Ａ側にかけて、なだらかに湾曲し、凸曲面状に形成されている。
【００１７】
ロアーケース１２は、図１ないし図３に示すように、プロジェクタ１の底面、側面、前面の一部をそれぞれ構成する、脚部形成面としての底面部１２Ａ（図２）、側面部１２Ｂ（図１），１２Ｃ（図２）、前面部１２Ｄ（図２）と、コネクタ接続部１２Ｅ（図３）とを含んで構成される。
底面部１２Ａは、図２に示すように、略矩形状の平坦面で構成される。
この底面部１２Ａにおいて、下方から見て左側略中央部分には、外装ケース２の内側に窪み、この窪みの中心部分に矩形状の開口１８が形成されている。この開口１８には、該開口１８を覆うランプカバー１９が着脱自在に設けられている。
【００１８】
また、この底面部１２Ａにおいて、下方から見て後方右側部分には、外部から冷却空気を吸入するための吸気口２０が形成されている。この吸気口２０には、該吸気口２０を覆う吸気口カバー２０Ａが着脱自在に設けられている。この吸気口カバー２０Ａには、複数の開口２０Ｂが形成されている。そして、これら開口２０Ｂ内側には、図示しないエアフィルタが設けられており、内部への塵埃の侵入を防止している。
【００１９】
さらに、この底面部１２Ａにおいて、下方から見て後方側略中央部分には、プロジェクタ１の脚部を構成する固定脚部２１が設けられている。また、底面部１２Ａにおける前方側の左右角隅部分には、同じくプロジェクタ１の脚部を構成する調整脚部２２が設けられている。
このうち、調整脚部２２は、底面部１２Ａから面外方向に進退自在に突出する軸状部材から構成され、プロジェクタ１の投写時における該プロジェクタ１の前後方向および左右方向の傾斜位置を調整可能としている。
【００２０】
側面部１２Ｂ，１２Ｃは、図１ないし図３に示すように、底面部１２Ａの左右端縁から上方に立設するものであり、アッパーケース１１の側面部１１Ｂ（図１），１１Ｃ（図２）と略同様に、上端側投写方向略中央部分から、前面側、背面側、および底面部１２Ａ側にかけて、なだらかに湾曲し、凸曲面状に形成されている。そして、これら側面部１２Ｂ，１２Ｃは、アッパーケース１１の側面部１１Ｂ（図１），１１Ｃ（図２）と接続してプロジェクタ１の側面を構成する。すなわち、側面部１１Ｂ，１１Ｃ，１２Ｂ，１２Ｃが本発明に係るプロジェクタ１の側端面に相当する。
この側面部１２Ｂ，１２Ｃにおいて、底面部１２Ａ側の投写方向略中央部分には、プロジェクタ１を把持するための第１凹部としてのグリップ部２３Ｂ（図１，図３），２３Ｃ（図２）が形成されている。
なお、プロジェクタ１の把持構造の詳細については、後述する。
【００２１】
前面部１２Ｄは、図２に示すように、底面部１２Ａの前方側端縁から斜め上方に向けて立設するものであり、平面視略中央部分から上下方向、および左右方向にかけて、なだらかに湾曲し、凸曲面状に形成されている。また、この前面部１２Ｄの上方側端縁は、アッパーケース１１の上面部１１Ａと略同様に、前方から見て右側部分が曲線状に切り欠かれるように形成されている。
コネクタ接続部１２Ｅは、図３に示すように、底面部１２Ａの背面側であり、後方から見て右側部分に形成されている。このコネクタ接続部１２Ｅは、矩形状の開口であり、この開口を介してインレットコネクタ２４が露出し、外部の電力をプロジェクタ１の本体部分に供給可能としている。
【００２２】
フロントケース１３は、図１または図２に示すように、左右方向に延びる略楕円形状に形成され、前方から見て右側部分が上下方向に膨出している。このフロントケース１３は、平面視略中央部分から、上下方向および左右方向にかけて、なだらかに湾曲し、凸曲面状に形成されている。そして、このフロントケース１３は、アッパーケース１１の上面部１１Ａおよび側面部１１Ｂ，１１Ｃの前方側端縁、および、ロアーケース１２の側面部１２Ｂ，１２Ｃおよび前面部１２Ｄの前方側端縁と接続し、プロジェクタ１の前面部分を構成する。
【００２３】
このフロントケース１３において、前方から見て左側部分には、排気口２５が形成され、後述する冷却ファンから排気される空気が該排気口２５を介して排出される。また、この排気口２５には、左右方向に延び、それぞれ平行に配列する複数の羽板２５Ａ１を有するルーバ２５Ａが取り付けられている。このルーバ２５Ａは、排出される空気を整流するとともにプロジェクタ１内外間の遮光機能も備えている。
【００２４】
この排気口２５の右側の上下方向略中央部分には、排気流が通らないように区画された位置に、リモコン受光窓２６が設けられている。そして、このリモコン受光窓２６の内側には、図示しないリモートコントローラからの操作信号を受信するリモコン受光モジュールが配置されている。
なお、図示しないリモコン受光モジュールは、後述する制御基板と電気的に接続され、該リモコン受光モジュールにて受信した操作信号は、制御基板に出力される。
【００２５】
また、フロントケース１３において、前方から見て右側部分には、図１に示すように、外装ケース２内側に窪み、この窪みの中心部分に略円形状の開口２７が形成されている。そして、この開口２７は、後述する投写レンズの先端部分を露出させる。
【００２６】
リアケース１４は、図３に示すように、フロントケース１３と同様に左右方向に延びる略楕円形状に形成され、後方から見て右側部分には、ロアーケース１２のコネクタ接続部１２Ｅを露出させる切り欠き１４Ａが形成されている。このリアケース１４は、フロントケース１３と同様に、平面視略中央部分から、上下方向および左右方向にかけて、なだらかに湾曲し、凸曲面状に形成されている。そして、このリアケース１４は、アッパーケース１１の上面部１１Ａおよび側面部１１Ｂ，１１Ｃの後方側端縁、および、ロアーケース１２の底面部１２Ａおよび側面部１２Ｂ，１２Ｃの後方側端縁と接続し、プロジェクタ１の背面部分を構成する。
以上、説明したアッパーケース１１、ロアーケース１２、フロントケース１３、およびリアケース１４の形状により、これらが組み立てられた外装ケース２は、略直方体の角部分が曲面を形成し、略流線形状を有するように構成されている。
【００２７】
このリアケース１４において、後方から見て右側部分には、複数の孔２８が形成されている。そして、これら複数の孔２８の内側には、図示しないスピーカが配置され、このスピーカから該孔２８を介して音声が出力される。
また、このリアケース１４において、後方から見て左側部分には、外装ケース２の内側に窪む段付部１４Ｂが形成され、この段付部１４Ｂには、複数の孔１４Ｃが形成されている。そして、これら複数の孔１４Ｃを介して、外部の電子機器からの画像信号、音声信号等を入力するための複数の接続端子２９が外部に露出している。この段付部１４Ｂの内側には、接続端子２９から入力される信号を処理する図示しないインターフェース基板が配置されている。
なお、このインターフェース基板は、後述する制御基板と電気的に接続され、インターフェース基板にて処理された信号は、制御基板に出力される。
【００２８】
さらに、このリアケース１４において、後方から見て段付部１４Ｂの右側部分には、前述のリモコン受光窓２６と同様のリモコン受光窓３０が設けられている。そして、これらリモコン受光窓２６およびリモコン受光窓３０を介して、プロジェクタ１の前方および後方の双方から図示しないリモートコントローラを用いてプロジェクタ１の遠隔操作を実施できるように構成されている。
【００２９】
（２）本体部分の構成
図４および図５は、プロジェクタ１の本体部分３を示す図である。具体的には、図４は、本体部分３を下方前面側から見た斜視図であり、図５は、本体部分３を上方背面側から見た斜視図である。
本体部分３は、図４または図５に示すように、投写方向略中央部分で左右方向に延び、一方の端部が前方に延びる平面視略Ｌ字状の光学ユニット４と、この光学ユニット４の一方の端部と接続する投写レンズ５と、背面部分および一方の側面部分に沿って平面視略Ｌ字状に配置される電源ユニット６と、ここでは図示しない制御基板７と、吸気口２０（図２）および排気口２５（図１，図２）に応じた位置、および電源ユニット６の角隅部分に配置される３つの冷却ファンを含む冷却ユニット８（図４）とを備える。
【００３０】
なお、本体部分３は、これら光学ユニット４、投写レンズ５、電源ユニット６、および冷却ユニット８の他、上述した図示しない回路基板、リモコン受光モジュール、スピーカ、およびインターフェース基板を含んで構成される。
【００３１】
（２−１）光学ユニット４の構造
図６は、光学ユニット４の光学系を模式的に示す図である。
光学ユニット４は、光源装置から射出された光束を画像情報に応じて変調して光学像を形成する。この光学ユニット４は、図６に示すように、インテグレータ照明光学系４１と、色分離光学系４２と、リレー光学系４３と、光変調装置および色合成光学装置を一体化した光学装置４４と、これら光学部品４１，４２，４３，４４を収納配置するライトガイド４５（図５）とに機能的に大別される。
インテグレータ照明光学系４１は、光源から射出された光束を照明光軸直交面内における照度を均一にするための光学系である。このインテグレータ照明光学系４１は、図６に示すように、光源装置４１１、第１レンズアレイ４１２、第２レンズアレイ４１３、偏光変換素子４１４、および重畳レンズ４１５を備えて構成される。
【００３２】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００３３】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００３４】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００３５】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００３６】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３７】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３８】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３９】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００４０】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４１】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４２】
図７は、ライトガイド４５の構造を示す図である。
ライトガイド４５は、図７に示すように、射出成形等による合成樹脂製品であり、上述した光学部品４１，４２，４３，４４が収納される下ライトガイド４５１と、この下ライトガイド４５１の上面の開口部分を塞ぐ上ライトガイド４５２とを備える。
下ライトガイド４５１は、図７に示すように、光源装置４１１が収納される光源収納部４５１Ａと、光源装置４１１を除く他の光学部品が収納される容器状に形成された部品収納部４５１Ｂと、この部品収納部４５１Ｂの外側面に形成され、投写レンズ５が設置される投写レンズ設置部４５１Ｃとを備える。
【００４３】
光源収納部４５１Ａは、下方端面の開口部４５１Ａ１および部品収納部４５１Ｂ側の図示しない開口部を有する略箱状に形成されている。そして、この光源収納部４５１Ａには、ロアーケース１２の底面部１２Ａに設けられたランプカバー１９（図２）を介して光源装置４１１が収納される。また、この光源収納部４５１Ａの前方側端面および後方側端面には、スリット状の図示しない開口部が形成されている。そして、これら開口部を介して空気が光源収納部４５１Ａ内外に流通可能となっている。
部品収納部４５１Ｂ内には、具体的な図示は省略するが、光学部品４１２〜４１５，４２１〜４２４，４３１〜４３５を上方からスライド式に嵌め込むための複数の溝部が形成されている。また、部品収納部４５１Ｂ内において、図５に示すように、投写レンズ設置部４５１Ｃの内側部分に光学装置４４が設置される。さらに、部品収納部４５１Ｂにおいて、光学装置４４の後段側の側面には、図７に示すように、光源装置４１１から射出される光束を透過させる開口部４５１Ｂ１が形成されている。さらにまた、この部品収納部４５１Ｂにおいて、底面部分には、図７に示すように、光学装置４４の３つの液晶パネル４４１Ｒ，４４１Ｇ，４４１Ｂに応じた位置に開口部４５１Ｂ２が形成され、光学装置４４の偏光変換素子４１４に応じた位置に開口部４５１Ｂ３が形成されている。
【００４４】
投写レンズ設置部４５１Ｃは、部品収納部４５１Ｂの開口部４５１Ｂ１の周縁に位置し、ライトガイド４５内に設定される照明光軸に対する所定位置に投写レンズ５を設置する。そして、光源装置４１１から射出され、光学装置４４にて形成された光学像が、開口部４５１Ｂ１を介して投写レンズ５により拡大投写される。
【００４５】
上ライトガイド４５２は、図５に示すように、下ライトガイド４５１の部品収納部４５１Ｂにおける光学装置４４の上方を除く上端開口部分を閉塞する。この上ライトガイド４５２には、表裏を貫通して複数の開口部（例えば、開口部４５２Ａ）が形成され、この開口部を介して下ライトガイド４５１内に収納された光学部品の姿勢調整が実施される。
【００４６】
（２−２）投写レンズ５の構造
投写レンズ５は、光学ユニット４により画像情報に応じて変調された光学像をスクリーン上に拡大投写する。この投写レンズ５は、図５に示すように、筒状の鏡筒５Ａ内に図示しない複数のレンズが収納された組レンズとして構成される。そして、この投写レンズ５には、図５に示すように、図示しない複数のレンズの相対位置を変更するレバー５Ｂを備え、投写像のフォーカス調整、および倍率調整可能に構成されている。
なお、このレバー５Ｂは、本体部分３が外装ケース２に収納された際には、上述したアッパーケース１１のレバー操作用孔１６（図１，図３）を介して外部に露出される。
【００４７】
（２−３）電源ユニット６の構造
図８は、電源ユニット６および制御基板７の構造を示す図である。具体的に、図８は、電源ユニット６および制御基板７を下方側から見た図である。
電源ユニット６は、光源装置４１１および制御基板７等に電力を供給する。この電源ユニット６は、外装ケース２の背面に沿って配置される電源ブロック６１と、外装ケース２の一方の側面に沿って配置される光源駆動ブロック６２とを備え、ライトガイド４５の光源収納部４５１Ａを囲うように平面視Ｌ字状に形成されている。
電源ブロック６１は、インレットコネクタ２４に接続された電源ケーブルを通して外部から供給された電力を光源駆動ブロック６２および制御基板７等に供給する。この電源ブロック６１は、図８に示すように、入力される交流を低電圧の直流に変換するトランスや該トランスからの出力を所定の電圧に変換する変換回路等が片面に実装された回路基板６１１と、この回路基板６１１を覆うシールド部材としての筒状部材６１２とを備える。このうち、筒状部材６１２は、アルミニウムから構成され、両端が開口された略箱状に形成されている。また、この筒状部材６１２において、光源収納部４５１Ａと対向しない端面には、複数の孔６１２Ａが形成され、光源収納部４５１Ａの後方側端面に形成された図示しないスリット状の開口部と対向する部分は、孔等のない連続した面が形成されている。
【００４８】
光源駆動ブロック６２は、光源装置４１１に安定した電圧で電力を供給する。この光源駆動ブロック６２は、図８に示すように、電源ブロック６１から供給される電力を所定の電力に変圧するトランスや、電力蓄積用のコンデンサ、抵抗等が実装された回路基板６２１と、この回路基板６２１を覆うシールド部材としての筒状部材６２２とを備える。このうち、筒状部材６２２は、電源ブロック６１の筒状部材６１２と同様に、アルミニウムから構成され、両端が開口された略箱状に形成されている。また、この筒状部材６２２において、光源収納部４５１Ａと対向しない端面には、筒状部材６１２と同様に、複数の孔６２２Ａが形成され、光源収納部４５１Ａと対向する部分は、孔等のない連続した面が形成されている。
【００４９】
また、これら電源ブロック６１および光源駆動ブロック６２の上端部分には、アルミニウムから構成されるシールド板６３が取り付けられている。そして、このシールド板６３は、ライトガイド４５の光源収納部４５１Ａ（図７）の上方を覆い、冷却ユニット８の後述する排気装置８４側（図５）に延びるように設置されている。
なお、筒状部材６１２、筒状部材６２２、およびシールド板６３としては、アルミニウムに限らず、その他の金属で構成してもよく、また、合成樹脂等で構成し、その表面にめっき処理、または、金属蒸着処理、金属箔の貼り付け等を施したものを採用してもよい。
【００５０】
（２−４）制御基板７の構造
制御基板７は、ライトガイド４５の上ライトガイド４５２の上方に配置される。この制御基板７は、ＣＰＵ（Ｃｅｎｔｒａｌ  Ｐｒｏｃｅｓｓｉｎｇ  Ｕｎｉｔ）等の演算処理装置が実装された回路基板として構成され、プロジェクタ１全体を制御する。この制御基板７は、前述のインターフェース基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。また、この制御基板７は、前述の操作パネル１５の回路基板、および前述の図示しないリモコン受光モジュールから出力される操作信号を入力し、この操作信号に基づいてプロジェクタ１の構成部材に適宜、制御指令を出力する。
また、この制御基板７の上方には、図８に示すように、アルミニウムから構成される板状のシールド板７１が取り付けられている。そして、このシールド板７１は、制御基板７に実装される回路素子から放射される電磁波を遮蔽するとともに、外部からの電磁波も遮蔽し、雑音障害を回避している。なお、シールド板７１としては、アルミニウムに限らず、その他の金属で構成してもよく、また、合成樹脂等で構成し、その表面にめっき処理、または、金属蒸着処理、金属箔の貼り付け等を施したものを採用してもよい。
【００５１】
（２−５）冷却ユニット８の構造
冷却ユニット８は、プロジェクタ１内部の発熱部材を冷却する。この冷却ユニット８は、図４または図５に示すように、プロジェクタ１内部に外部の冷却空気を導入するシロッコファン８１と、このシロッコファン８１から吐出される冷却空気を所定位置に導く吸気側ダクト８２と、電源ユニット６に冷却空気を流通させるシロッコファン８３と、プロジェクタ１内部で温められた空気を外部に排出する排気装置８４とを備える。
【００５２】
シロッコファン８１は、図４または図７に示すように、外装ケース２の底面部１２Ａに形成された吸気口２０（図２）に応じた位置に配置され、冷却空気を吸入する吸入口８１１が吸気口２０（図２）に対向し、吸入した冷却空気を吐出する吐出口８１２（図７）が光学ユニット４の下方側に向いている。
吸気側ダクト８２は、図４に示すように、光学ユニット４の下方に配置され、冷却空気の図示しない導入口がシロッコファン８１の吐出口８１２（図７）と接続する。そして、この吸気側ダクト８２は、冷却空気を導出する４つの図示しない導出口を有し、これら導出口は、ライトガイド４５の底面に形成された開口部４５１Ｂ２，４５１Ｂ３（図７）と接続する。
シロッコファン８３は、図４または図５に示すように、電源ユニット６の電源ブロック６１および光源駆動ブロック６２の間、すなわち、電源ユニット６のＬ字形状の角隅部分に配置され、冷却空気を吸入する図示しない吸入口が電源ブロック６１に対向し、吸入した冷却空気を吐出する図示しない吐出口が光源駆動ブロック６２に対向する。
【００５３】
排気装置８４は、図４または図５に示すように、ライトガイド４５の光源収納部４５１Ａの前方側端面から外装ケース２の前面にかけて延びるように配置されている。この排気装置８４は、軸流排気ファン８４１と、プロジェクタ１内部の空気を軸流排気ファン８４１の吸入口に導く排気側第１ダクト８４２と、軸流排気ファン８４１から吐出される空気を外装ケース２の排気口２５（図１，図２）まで導く排気側第２ダクト８４３とが一体化したユニットである。このうち、排気側第２ダクト８４３の導出口８４３Ａには、上下方向に延び、前方側が投写レンズ５から離間する方向に傾斜する複数の羽根部材８４３Ａ２を有する整流用ルーバ８４３Ａ１が設けられている。
【００５４】
（２−６）冷却構造
上述した冷却ユニット８によるプロジェクタ１内部の冷却構造を説明する。
図９および図１０は、プロジェクタ１内部に形成される冷却流路を示す図である。
プロジェクタ１内部には、前述の冷却ユニット８により、図９または図１０に示すように、液晶パネル４４１Ｒ，４４１Ｇ，４４１Ｂおよび電源ユニット６を主に冷却するパネル・電源冷却流路Ａと、偏光変換素子４１４を主に冷却する偏光変換素子冷却流路Ｂと、光源装置４１１を主に冷却する光源冷却流路Ｃとが形成される。
パネル・電源冷却流路Ａは、冷却空気がプロジェクタ１内を以下に示すように流通することで形成される。
すなわち、外部の冷却空気は、図９に示すように、シロッコファン８１により外装ケース２の底面部１２Ａに形成された吸気口２０（図２）から吸入され、吸気側ダクト８２に吐出される。そして、冷却空気は、吸気側ダクト８２に導かれてライトガイド４５の底面部分に形成された開口部４５１Ｂ２（図７）からライトガイド４５内部へと導入される。
【００５５】
ライトガイド４５内部に導入された冷却空気は、液晶パネル４４１Ｒ，４４１Ｇ，４４１Ｂ、入射側偏光板４４２、視野角補正板４４３、および射出側偏光板４４４を冷却しながら、光学装置４４の下方から上方に向けて流れ、図１０に示すように、ライトガイド４５の外部へと流出する。そして、ライトガイド４５の外部に流出した空気は、シロッコファン８３により引き寄せられ、図示しない制御基板７を冷却しつつ該制御基板７に沿って流れ、電源ブロック６１の内部に導入される。
電源ブロック６１内部に導入された空気は、内部の回路基板６１１に実装された回路素子を冷却しつつ筒状部材６１２に沿って流れ、シロッコファン８３に吸入され、光源駆動ブロック６２の内部側へと吐出される。この光源駆動ブロック６２内部に吐出された空気は、排気装置８４の軸流排気ファン８４１により引き寄せられ、回路基板６２１（図８）に実装された回路素子を冷却しつつ筒状部材６２２に沿って流れ、排気装置８４に吸入される。そして、図９に示すように、排気装置８４の整流用ルーバ８４３Ａ１により投写方向から離間する方向に整流され、外装ケース２の排気口２５から排出される。
【００５６】
偏光変換素子冷却流路Ｂは、冷却空気がプロジェクタ１内を以下に示すように流通することで形成される。
すなわち、外部の冷却空気は、図９に示すように、シロッコファン８１により外装ケース２の底面部１２Ａに形成された吸気口２０（図２）から吸入され、吸気側ダクト８２に吐出される。そして、冷却空気は、吸気側ダクト８２に導かれてライトガイド４５の底面部分に形成された開口部４５１Ｂ３（図７）からライトガイド４５内部へと導入される。そして、ライトガイド４５内部に導入された冷却空気は、偏光変換素子４１４を冷却し、図１０に示すように、上ライトガイド４５２に形成された開口部４５２Ａからライトガイド４５外部に流出する。
【００５７】
光源冷却流路Ｃは、冷却空気がプロジェクタ１内を以下に示すように流通することで形成される。
すなわち、パネル・電源冷却流路Ａを流れる冷却空気の一部および偏光変換素子冷却流路Ｂを流れる冷却空気が、図１０に示すように、排気装置８４により引き寄せられ、電源ブロック６１とライトガイド４５の光源収納部４５１Ａとの間に入り込み、光源収納部４５１Ａの後方側端面に形成された図示しない開口部から該光源収納部４５１Ａ内に導入される。そして、光源収納部４５１Ａ内に導入された空気は、光源装置４１１を冷却し、光源収納部４５１Ａの前方側端面に形成された図示しない開口部を介して排気装置８４により吸入される。そしてまた、排気装置８４により吸入された空気は、整流用ルーバ８４３Ａ１により投写方向から離間する方向に整流され、外装ケース２の排気口２５から排出される。
【００５８】
（３）プロジェクタ１の把持構造
図１１ないし図１４は、プロジェクタ１の把持構造を示す図である。具体的には、図１１は、プロジェクタ１の断面を示す図であり、図１２は、プロジェクタ１を下方および上方から見た平面図である。また、図１３および図１４は、利用者がプロジェクタを把持した状態を示す図である。
プロジェクタ１の把持構造は、上述したように、親指支持部１７Ｂ，１７Ｃおよびグリップ部２３Ｂ，２３Ｃで構成される。
【００５９】
グリップ部２３Ｂ，２３Ｃは、図１１に示すように、ロアーケース１２の側面部１２Ｂ，１２Ｃの形状を、底面部１２Ａの左右側端縁から略垂直に突出させ、この突出先端部分を９０°未満の角度θを有するように外装ケース２外側に屈曲させ、この屈曲先端部分をさらに上方側に屈曲させる断面略クランク状にすることにより形成される凹部である。
また、このグリップ部２３Ｂ，２３Ｃは、図２に示すように、側方から見た場合に、投写方向略中央部分が底面部１２Ａから最も離間し、前面側および背面側に向かうにしたがって底面部１２Ａに近接するように平面視略円弧状に形成されている。
【００６０】
さらに、このグリップ部２３Ｂ，２３Ｃは、図１２（Ａ）に示すように、下方から見た場合に、投写方向略中央部分の厚み（図１２（Ａ）中、左右方向の長さ）が最も大きい寸法を有し、前面側および背面側に向かうにしたがって、厚み寸法が小さくなるように形成されている。
このグリップ部２３Ｂ，２３Ｃにおいて、投写方向の幅寸法Ｗ（図１２（Ａ））は、利用者の手の親指を除く４本の指の幅寸法と略同一または若干大きい寸法を有する。また、凹状深さ寸法Ｄ（図１１）は、利用者の手の親指を除く４本の指の第１関節までの指先の長さ寸法と同一または若干大きい寸法を有する。
また、このグリップ部２３Ｂ，２３Ｃは、図１２（Ａ）に示すように、プロジェクタ１の投写方向と直交する幅寸法中央部分に位置し、ロアーケース１２の底面部１２Ａと直交する基準面Ｏに対して対称となる形状を有している。
【００６１】
親指支持部１７Ｂ，１７Ｃは、図１１または図１２（Ｂ）に示すように、アッパーケース１１の上面部１１Ａにおける側面部１１Ｂ，１１Ｃ側の投写方向略中央部分に位置し、外装ケース２の内側に所定寸法窪む凹部である。
この親指支持部１７Ｂ，１７Ｃにおいて、投写方向長さ寸法Ｌ（図１２（Ｂ））は、利用者の手の親指の長さ寸法と略同一または若干大きい寸法を有する。
また、この親指支持部１７Ｂ，１７Ｃは、図１２（Ｂ）に示すように、プロジェクタ１の投写方向と直交する幅寸法中央部分に位置し、ロアーケース１２の底面部１２Ａと直交する基準面Ｏに対して対称となる形状を有している。
【００６２】
以上のような形状を有する把持構造では、グリップ部２３Ｂ，２３Ｃは、プロジェクタ１が把持される際に、利用者の手の親指を除く４本の指を支持する部分として機能する。すなわち、図１３に示すように、利用者がプロジェクタ１を把持した際には、利用者の手の４本の指がグリップ部２３Ｂ，２３Ｃに当接するとともに、利用者の手の４本の指の第１関節までの指先がグリップ部２３Ｂ，２３Ｃに嵌入する。
また、親指支持部１７Ｂ，１７Ｃは、プロジェクタ１が把持される際に、利用者の手の親指を支持する部分として機能する。すなわち、図１４に示すように、利用者がプロジェクタ１を把持した際には、利用者の手の４本の指がグリップ部２３Ｂ，２３Ｃを掴むとともに、利用者の手の親指が親指支持部１７Ｂ，１７Ｃに支持される。
【００６３】
（４）実施形態の効果
上述した本実施形態によれば、以下のような効果がある。
（４−１）ロアーケース１２の側面部１２Ｂ，１２Ｃには、グリップ部２３Ｂ，２３Ｃが形成されているので、利用者はこのグリップ部２３Ｂ，２３Ｃに手の指先を嵌入させて外装ケース２を掴むことでプロジェクタ１を把持し、容易に持ち運ぶことができる。このような把持構造を採用することにより、従来のハンドルを備えた把持構造と比較して、ハンドル等の部材の製造、および製造したハンドルの筐体への筐体への取り付け作業等を実施する必要がないので、プロジェクタ１の製造を容易にし、製造コストの低減を図れる。また、外装ケース２の側面部１１Ｂ，１１Ｃ，１２Ｂ，１２Ｃにハンドルを取り付ける必要がないので、該側面部１１Ｂ，１１Ｃ，１２Ｂ，１２Ｃの形状を自由に設計でき、すなわち、外装ケース２の設計の自由度を向上できる。
【００６４】
（４−２）側面部１１Ｂ，１１Ｃ，１２Ｂ，１２Ｃにて形成される外装ケース２の側端面の形状は曲面状であり、側面部１２Ｂ，１２Ｃにおける底面部１２Ａ側にグリップ部２３Ｂ，２３Ｃを形成しているので、利用者がグリップ部２３Ｂ，２３Ｃに手の指先を嵌入させて外装ケース２を掴む際には、利用者の手の平は側面部１１Ｂ，１１Ｃ，１２Ｂ，１２Ｃにて形成される曲面状の側端面に当接する。したがって、外装ケース２の側端面が平坦である構成と比較して、利用者に安定してプロジェクタ１を把持させることができる。
【００６５】
（４−３）グリップ部２３Ｂ，２３Ｃは、利用者の手の親指を除く４本の指の幅寸法と略同一または若干大きい幅寸法Ｗを有しかつ、４本の指の第１関節までの指先の長さ寸法と同一または若干大きい深さ寸法Ｄを有するので、利用者は、手の親指を除く４本の指の指先をグリップ部２３Ｂ，２３Ｃに確実に引っ掛けることができる。したがって、利用者にさらに安定してプロジェクタを把持させることができる。
【００６６】
（４−４）グリップ部２３Ｂ，２３Ｃは、側面部１２Ｂ，１２Ｃにおいて、底面部１２Ａから離間する方向に窪み、その周縁は、側方から見た場合に、投写方向略中央部分が底面部１２Ａから最も離間し、前面側および背面側に向かうにしたがって底面部１２Ａに近接するように平面視略円弧状に形成されているので、グリップ部２３Ｂ，２３Ｃの形状が利用者の親指を除く４本の指の長さの違いに応じた形状となる。したがって、このような形状により、利用者にさらに容易にかつ安定してプロジェクタを把持させることができる。
【００６７】
（４−５）外装ケース２には、グリップ部２３Ｂ，２３Ｃの他、アッパーケース１１の上面部１１Ａにおける側面部１１Ｂ，１１Ｃ側の投写方向略中央部分に親指支持部１７Ｂ，１７Ｃが形成されているので、利用者が手の親指を除く４本の指先をグリップ部２３Ｂ，２３Ｃに嵌入させてプロジェクタを掴む際に、利用者は親指支持部１７Ｂ，１７Ｃに親指を当接させることができる。したがって、グリップ部２３Ｂ，２３Ｃおよび親指支持部１７Ｂ，１７Ｃにより、プロジェクタを把持させ、持ち運ぶ際に、利用者に安定したグリップ感を与え、利用者に安定してプロジェクタを持ち運ばせることができる。
【００６８】
（４−６）グリップ部２３Ｂ，２３Ｃ、および親指支持部１７Ｂ，１７Ｃは、基準面Ｏに対して対称形状となっているので、外装ケース２のフロントケース１３が利用者に対向する位置にある場合、外装ケース２のリアケース１４が利用者に対向する位置にある場合の双方で利用者によるプロジェクタ１の把持が可能となる。したがって、利用者にさらに容易にプロジェクタ１を把持させることができる。
【００６９】
（４−７）親指支持部１７Ｂ，１７Ｃが基準面Ｏに対して対称形状となっているので、プロジェクタ１を天吊りする場合に、アッパーケース１１の上面部１１Ａに、天井と当接する天吊り用脚部を設置する筐体の上面に、例えば天井と当接する天吊り用脚部を貼り付ける際、親指支持部１７Ｂ，１７Ｃを天吊り用脚部の貼付位置のガイド位置とすることができる。したがって、天吊り用脚部を予め工場等にて貼り付けない構成としても、プロジェクタ１を天吊りする時に、天吊り用客部を容易に貼り付けることができる。
【００７０】
（４−８）外装ケース２には、グリップ部２３Ｂ，２３Ｃ、および親指支持部１７Ｂ，１７Ｃが形成されているので、利用者によりプロジェクタ１が把持され、持ち運ばれる際には、必ず、外装ケース２の底面部１２Ａが下になる。したがって、プロジェクタ１の把持構造として、外装ケース２の側面にハンドルを設けた構成と比較して、利用者によりプロジェクタ１が持ち運ばれる際に、外装ケース２内に収納される本体部分３に余計な負荷が掛かることがない。
【００７１】
（４−９）外装ケース２には、グリップ部２３Ｂ，２３Ｃ、および親指支持部１７Ｂ，１７Ｃが形成されているので、利用者がプロジェクタ１を把持する際、他の部位と比較して強度の弱い、底面部１２Ａにおけるランプカバー１９の部分、または底面部１２Ａにおける吸気口カバー２０Ａの部分を持たせることなく、利用者に安定してプロジェクタ１を把持させることができる。
【００７２】
（５）実施形態の変形
なお、本発明は、前記実施形態に限定されるものではなく、本発明の目的を達成できる他の構成等を含み、以下に示すような変形等も本発明に含まれる。
前記実施形態では、プロジェクタ１の把持構造は、グリップ部２３Ｂ，２３Ｃ、および親指支持部１７Ｂ，１７Ｃを含んで構成されていたが、これに限らず、親指支持部１７Ｂ，１７Ｃを省略した構成としてもよい。例えば、プロジェクタ１の厚みを比較的薄くなるように構成した場合には、アッパーケース１１の上面部１１Ａに親指支持部１７Ｂ，１７Ｃを設けなくても、利用者は、プロジェクタ１を確実に把持することができる。このような構成では、親指支持部１７Ｂ，１７Ｃを形成する必要がないので、外装ケース２の製造を容易にしかつ、製造コストの低減を図れ、ひいては、プロジェクタ１の製造コストの低減を図れる。
【００７３】
前記実施形態では、グリップ部２３Ｂ，２３Ｃは、側面部１２Ｂ，１２Ｃにおいて、底面部１２Ａから離間する方向に窪む形状を有していたが、これに限らず、底面部１２Ａと平行する方向に窪む形状を有するように形成してもよい。
前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。
前記実施形態では、光変調装置として液晶パネルを用いていたが、マイクロミラーを用いたデバイスなど、液晶以外の光変調装置を用いてもよい。
前記実施形態では、光入射面と光射出面とが異なる透過型の光変調装置を用いていたが、光入射面と光射出面とが同一となる反射型の光変調装置を用いてもよい。
【００７４】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるプロジェクタの本体部分を示す図。
【図５】前記実施形態におけるプロジェクタの本体部分を示す図。
【図６】前記実施形態における光学ユニットの光学系を模式的に示す図。
【図７】前記実施形態におけるライトガイドの構造を示す図。
【図８】前記実施形態における電源ユニットおよび制御基板の構造を示す図。
【図９】前記実施形態におけるプロジェクタ内部に形成される冷却流路を示す図。
【図１０】前記実施形態におけるプロジェクタ内部に形成される冷却流路を示す図。
【図１１】前記実施形態におけるプロジェクタの把持構造を示す図。
【図１２】前記実施形態におけるプロジェクタの把持構造を示す図。
【図１３】前記実施形態におけるプロジェクタの把持構造を示す図。
【図１４】前記実施形態におけるプロジェクタの把持構造を示す図。
【符号の説明】
１・・・プロジェクタ、２・・・外装ケース（筐体）、５・・・投写レンズ（投写光学装置）、１２Ａ・・・底面部（脚部形成面）、１１Ｂ，１１Ｃ，１２Ｂ，１２Ｃ・・・側面部（側端面）、１７Ｂ，１７Ｃ・・・親指支持部（第２凹部）、２１・・・固定脚部、２２Ｂ，２２Ｃ・・・調整脚部、２３Ｂ，２３Ｃ・・・グリップ部（第１凹部）、４１１・・・光源装置、４４１Ｒ，４４１Ｇ，４４１Ｂ・・・液晶パネル（光変調装置）、Ｄ・・・深さ寸法、Ｗ・・・幅寸法、Ｏ・・・基準面。
【図１】
2005017596.tif 000003
【図２】
2005017596.tif 000004
【図３】
2005017596.tif 000005
【図４】
2005017596.tif 000006
【図５】
2005017596.tif 000007
【図６】
2005017596.tif 000008
【図７】
2005017596.tif 000009
【図８】
2005017596.tif 000010
【図９】
2005017596.tif 000011
【図１０】
2005017596.tif 000012
【図１１】
2005017596.tif 000013
【図１２】
2005017596.tif 000014
【図１３】
2005017596.tif 000015
【図１４】
2005017596.tif 000016